(57)【要約】【課題】ディスクドライバを読取る時の正確性が向上され、また、ディスクドライバの震動による騒音が低減されるコンピュータディスクドライバの防振式レールを提供する。【解決手段】ディスクドライバの両側に実装された硬質プラスチックレールにおいて、適当な位置に、軟質且つ弾性を有する防振パッドを増設し、該防振パッドにより、ディスクドライバが稼働する時の震動を吸収する。【選択図】図３
0003133060.tif 000002
【実用新案登録請求の範囲】
【請求項１】
ディスクドライバの両側に実装されるレールであって、該レールが、硬質プラスチックを主体とし、レールの適当な位置に、軟質且つ弾性を有する防振パッドが設けられ、該防振パッドとディスクドライバとが接触する時、或いは、レールが、コンピュータディスクドライバ槽のレールに滑り込むと、ディスクドライバが稼働する時による生成した震動を吸収し、ディスクドライバを読取る時、正確性が向上され、また、ディスクドライバが稼働する時に、発生した騒音を低減できる、ことを特徴とするコンピュータディスクドライバの防振式レール。
【請求項２】
レールの防振パッド上に、少なくとも１枚の防振突条が設けられることを特徴とする請求項１に記載のコンピュータディスクドライバの防振式レール。
【請求項３】
レールに嵌設されるディスクドライバ内の導電ピンの周辺に、少なくとも一つの防振ブロックが環設されることを特徴とする請求項１に記載のコンピュータディスクドライバの防振式レール。
【請求項４】
レールの一端に位置する傾斜面に、少なくとも一つの防振パッドブロックが設けられることを特徴とする請求項１に記載のコンピュータディスクドライバの防振式レール。
【考案の詳細な説明】
【技術分野】
【０００１】
本考案は、コンピュータディスクドライバの防振式レールに関し、特に、軟質且つ弾性を有する防振パッドのレールにより、ディスクドライバが稼働する時の震動を吸収し、また、ディスクドライバを読取る時の正確性が向上され、騒音を低減できるものに関する。
【背景技術】
【０００２】
従来式のディスクドライバは、レールを利用して、メインフレームのディスクドライバ槽に実装され、図１のように、一般のディスクドライバ１００の両側に、二つのピンホール１０１が設けられ、二つのレール２００は、ディスクドライバ１００の両側に実装されて、ネジ３００をレール２００の貫通穴２０１に貫通して、ピンホール１０１に螺着して、定位され、このようなレール２００を固定する方式では、ツールで、ネジ３００を螺着することが必要であるため、工時が掛かり、また、早期のレール２００が金属材質であるため、コストが高く、そのため、業者によってプラスチック製のレール２００が開発されるが、該レール２００は、ディスクドライバが稼働する時、ディスクドライバによる震動を吸収できず、そのため、ディスクドライバを読取る時の正確性が影響され、また、騒音が発生する。
【考案の開示】
【考案が解決しようとする課題】
【０００３】
本考案の主な目的は、コンピュータディスクドライバの防振式レールを提供し、音として、ディスクドライバの両側に実装されるレールが、硬質プラスチックを主体とし、また、回りにおいて、適当な位置に、軟質且つ弾性を有する防振パッドが覆われ、該防振パッドとディスクドライバとが接触する時、或いは、レールが、コンピュータディスクドライバ槽のレールに滑り込む時、ディスクドライバが稼働することによる震動を吸収でき、また、ディスクドライバを読取る時の正確性が向上され、そして、ディスクドライバが稼働する時の騒音を低減できる。
【課題を解決するための手段】
【０００４】
請求項１の考案は、ディスクドライバの両側に実装されるレールであって、該レールが、硬質プラスチックを主体とし、レールの適当な位置に、軟質且つ弾性を有する防振パッドが設けられ、該防振パッドとディスクドライバとが接触する時、或いは、レールが、コンピュータディスクドライバ槽のレールに滑り込むと、ディスクドライバが稼働する時による生成した震動を吸収し、ディスクドライバが読取る時、正確性が向上され、また、ディスクドライバが稼働する時に、発生した騒音を低減できる、ことを特徴とするコンピュータディスクドライバの防振式レールである。
【０００５】
請求項２の考案は、レールの防振パッド上に、少なくとも１枚の防振突条が設けられることを特徴とする請求項１に記載のコンピュータディスクドライバの防振式レールである。
【０００６】
請求項３の考案は、レールに嵌設されるディスクドライバ内の導電ピンの周辺に、少なくとも一つの防振ブロックが環設されることを特徴とする請求項１に記載のコンピュータディスクドライバの防振式レールである。
【０００７】
請求項４の考案は、レールの一端に位置する傾斜面に、少なくとも一つの防振パッドブロックが設けられることを特徴とする請求項１に記載のコンピュータディスクドライバの防振式レールである。
【考案を実施するための最良の形態】
【０００８】
図２を参照しながら、一般のメインフレーム１は、ディスクドライバ２が実装されるためのディスクドライバ槽１１が設けられ、ディスクドライバ槽１１の両側に位置するフレーム１２に、レール１３が設けられ、図３のように、ディスクドライバ２の両側に、それぞれ、レール３が実装され、ディスクドライバ２は、レール３を利用してディスクドライバ槽１１の両側に位置するレール１３内に滑りこみ、メインフレーム１内に嵌入し、定位され、その特徴は、図４から図６のように、本考案に係わるレール３は、硬質プラスチックを主体とし、レール３の底層と末端及び頂面において、適当な位置に、それぞれ、軟質ゴムによる防振パッド３１が覆われ、また、図７と図８を参照しながら、レール３は、底部にある二つの金属製導電ピン３２により、ディスクドライバ２のピンホール内（例えば、図１の従来のピンホール１０１）に嵌入し、また、レール３の内側に設置された導電シート３３により、ディスクドライバ２にコンピュータのハウジングを介して電源が接続され、また、軟質且つ弾性を有する防振パッド３１の底部が、ディスクドライバ２に緊密的に接触するため、ディスクドライバ２が、レール３に沿ってコンピュータのディスクドライバ槽１１の金属レール１３内に滑り込む時、レール３の頂面に位置する防振パッド３１とともに、共同的に、ディスクドライバ２が稼働する時の震動が吸収され、また、ディスクドライバ２を読取る時の正確性が向上され、また、ディスクドライバ２の震動による騒音が低減される。
【０００９】
図４を参照しながら、レール３の底部に位置する防振パッド３１上に、複数の防振突条３４が設けられ、また、導電ピン３２の周辺に、複数の防振ブロック３５が囲まれ、また、図５と図６のように、レール３の一端に位置する傾斜面上にも、複数列の防振パッドブロック３６が設けられるため、レール３とディスクドライバ２との防振效果が向上され、そして、ディスクドライバ２が稼働する時の騒音が最低限になる。
【００１０】
本考案に係わるコンピュータディスクドライバの防振式レールは、主として、ディスクドライバの両側に嵌設されたレール上に、軟質且つ弾性を有する防振パッドを増設し、該防振パッドは、ディスクドライバが稼働する時の震動を吸収できるだけでなく、ディスクドライバを読取る時の正確性が向上され、また、ディスクドライバが稼働する時の騒音も低減される。
【図面の簡単な説明】
【００１１】
【図１】従来のディスクドライバとレールの構造図
【図２】一般のコンピュータハウジングの構造図
【図３】本考案によるディスクドライバをコンピュータ内に挿入する時の構造図
【図４】本考案によるディスクドライバのレールの外観図
【図５】本考案によるディスクドライバのレールの上面図
【図６】本考案によるディスクドライバのレールの側面図
【図７】本考案によるディスクドライバにレールが実装された後の外観図
【図８】本考案によるディスクドライバにレールが実装された後の上面図
【符号の説明】
【００１２】
１      メインフレーム
１００  ディスクドライバ
１０１  ピンホール
１１    ディスクドライバ槽
１２    フレーム
１３    レール
２      ディスクドライバ
２００  レール
２０１  貫通穴
３      レール
３００  ネジ
３１    防振パッド
３２    導電ピン
３３    導電シート
３４    防振突条
３５    防振ブロック
３６    防振パッドブロック
【図１】
0003133060.tif 000003
【図２】
0003133060.tif 000004
【図３】
0003133060.tif 000005
【図４】
0003133060.tif 000006
【図５】
0003133060.tif 000007
【図６】
0003133060.tif 000008
【図７】
0003133060.tif 000009
【図８】
0003133060.tif 000010